(57)【要約】【課題】本発明は、長尺シースによるグラウト注入工法に関し、シースにおいて継目のない一体成型品にした長尺なシースを使用することで、接続工程が無く、気密性が高度に維持されるようにして、工期の短縮とコストの低減を図ることが課題である。        【解決手段】ケーブル２に被覆される筒状シース１であって、前記ケーブル２が両定着部３，４間に架設される長さとほぼ等しい長さで継目無しの長尺シース１を形成し、前記長尺シース１および該長尺シース内に挿通されるケーブル２をコンクリート構造物５の両定着部３，４間に配設した後に、前記ケーブル２を緊張材で緊張させてプレストレスを導入して前記定着部３，４に定着させ、このケーブル２と前記長尺シース１との間の空隙にグラウト材を前記定着部３側から注入して充填することとした、長尺シースによるグラウト注入工法である。【選択図】図２
2006219862.tif 000002
【特許請求の範囲】
【請求項１】
ケーブルに被覆される筒状シースであって、前記ケーブルが両定着部間に架設される長さとほぼ等しい長さで継目無しの長尺シースを形成し、前記長尺シースおよび該長尺シース内に挿通される前記ケーブルをコンクリート構造物の両定着部間に配設した後に、前記ケーブルを緊張材で緊張させてプレストレスを導入して前記定着部に定着させ、このケーブルと前記長尺シースとの間の空隙にグラウト材を前記両定着部の片側から注入して充填すること、
を特徴とする長尺シースによるグラウト注入工法。
【請求項２】
長尺シースは、ポリエチレン製シースであり、一体成型品であること、
を特徴とする請求項１に記載の長尺シースによるグラウト注入工法。
【請求項３】
片側からグラウト材を注入する際には、他方側から真空ポンプを併用して長尺シース内を減圧しながら行うこと、
を特徴とする請求項１または２に記載の長尺シースによるグラウト注入工法。
【請求項４】
ケーブルを被覆するシースであって、前記ケーブルの架設長さにほぼ等しい長さにして継目無しで成型されたポリエチレン製の一体成型品であること、
を特徴とする長尺シース。
【発明の詳細な説明】
【技術分野】
【０００１】
本発明は、例えば、橋梁におけるプレストレスト用ケーブルや斜張橋における斜材ケーブル等のＰＣ鋼材を被覆して保護する長尺シースと、それを使用したグラウト注入工法に関するものである。
【背景技術】
【０００２】
従来、例えば、斜張橋のケーブルを防錆上の理由から被覆する合成樹脂製のパイプは、コスト的に量産品で入手しやすく耐候性の良いポリエチレン（以下、ＰＥ）製パイプが主に使用されている。そして、そのＰＥパイプの接続には、接続部を加熱して融着させる接続方法が知られている（特許文献１参照）。
【特許文献１】特開平１１−２９９０７号公報
【発明の開示】
【発明が解決しようとする課題】
【０００３】
しかし、従来のシースでは、通常、一本の長さが４〜５ｍ程度であり、ケーブルを架設する定着部間の長さに対応させるには、前記ＰＥパイプが接着剤では接続できない性質なので、ジョイントしてテーピングするか、熱融着により多数の箇所で接続している。それにより、接続した継目部分（ジョイント部）のジョイント・テーピングする手間及びテーピング材料、又は、加熱する加熱装置やヒータ等の設備が必要であり、現場での接続作業が必要になって手間が掛かり、工期の長期化とコストの増大を招いている。また、グラウト材を注入する際に、真空ポンプでシース内部を減圧してグラウトする工法では、前記シースの継目部分から空気が漏れるおそれもあり、多数の接続箇所において確実な気密性を維持するのが困難である。本発明に係る長尺シースと、それによるグラウト注入工法は、このような課題を解決するために提案されたものである。
【課題を解決するための手段】
【０００４】
本発明に係る長尺シースによるグラウト注入工法の上記課題を解決して目的を達成するための要旨は、ケーブルに被覆される筒状シースであって、前記ケーブルが両定着部間に架設される長さとほぼ等しい長さで継目無しの長尺シースを形成し、前記長尺シースおよび該長尺シース内に挿通されるケーブルをコンクリート構造物の両定着部間に配設した後に、前記ケーブルを緊張材で緊張させてプレストレスを導入して前記定着部に定着させ、このケーブルと前記長尺シースとの間の空隙にグラウト材を前記両定着部の片側から注入して充填することである。
【０００５】
前記長尺シースは、ポリエチレン製シースであり、一体成型品であること、；
また、片側からグラウト材を注入する際には、他方側から真空ポンプを併用して長尺シース内を減圧しながら行うこと、；
を含むものである。
【０００６】
本発明に係る長尺シースの要旨は、ケーブルを被覆するシースであって、前記ケーブルの架設長さにほぼ等しい長さにして継目無しで成型されたポリエチレン製の一体成型品であることである。
【発明の効果】
【０００７】
本発明の長尺シースによるグラウト注入工法によれば、従来においては定尺のシースを順番に熱溶着手段等で接続しながら、ケーブル定着部間に配設する工法であったが、本発明では長尺シースのロール巻きしたものを解きながらケーブル定着部間に配設するだけでよいので、シース接続作業の手間が省けて大幅な工期の短縮となる。
【０００８】
ケーブル定着部間に架設される長さにほぼ等しい長さに形成された長尺シースは、一本ものであってその途中には継目（ジョイント部）がないので、当該シース内を真空ポンプで減圧した場合でも、継目からの空気の漏洩のおそれがない。よって、真空ポンプを併用したグラウト注入工法において、無駄なく効率的にシース内部が減圧されて、グラウト充填作業の作業能率が向上する。更に、充填されるグラウト材も、シース内に残留空気がほとんど無く高密度に充填される。
長尺シースは、筒状でポリエチレン製の一体成型品であるので、ロール巻きにして作業現場に容易に運搬することができる。
【発明を実施するための最良の形態】
【０００９】
本発明に係る長尺シース１は、図１に示すように、例えば、橋梁等のコンクリート構造物にプレストレスを導入するＰＣ鋼材（ストランド、以下同じ）による内ケーブル若しくは外ケーブル、又は、斜張橋におけるＰＣ鋼材による斜材ケーブル、等のケーブルを被覆する筒状のシースであって、前記ケーブルの架設長さにほぼ等しい長さにして継目（ジョイント部）無しで形成された合成樹脂製で、例えば、ポリエチレン製で黒色の一体成型品である。
【００１０】
前記長尺シース１は、例えば円筒状であって、これをある所要の直径のロール巻きにする。また、この長尺シース１には、工期短縮のために、予め、工場にてＰＣ鋼材によるケーブル２（図では端部にキャップが閉蓋されているので見えない）が内部に挿通される。
【００１１】
前記ケーブル２を内挿した長尺シース１をトラック等の運搬手段で現場に搬入し、これを解きほぐしながら略直線状に戻し、図２に示すように、内ケーブルの場合には、コンクリート構造物５構築用の型枠の中において、両定着部３，４間に配設する、また、外ケーブルの場合には、コンクリート構造物５の側方の定着部３，４間に配設する。なお、外ケーブルの場合には、前記長尺シース１が、外部からグラウト充填状況を観察できるように、透明シース・半透明シース若しくはシースの中が透視できる窓付きシースなどの場合がある。
【００１２】
そして、前記内ケーブルの場合には前記型枠の中にコンクリートを打設して所要強度に発現させ硬化させる。長尺シース１を定着部３，４間に架設した後は、内ケーブルの場合も外ケーブルの場合も、前記ケーブル２をジャッキ等の緊張材で緊張させてプレストレスを導入して前記定着部３，４に定着させる。片側の定着部３側に、グラウト材充填用のミキサー，充填ポンプ，ホッパー等のグラウト注入側装置６を設置する。
【００１３】
また、他側の定着部４側には、真空ポンプ７を配設する。このように、必要な設備を設置して、前記ケーブル２と前記長尺シース１との間の空隙にグラウト材を、定着部３側から充填ポンプで注入して充填する。グラウト材を充填ポンプで圧送して注入する際には、他方側から真空ポンプ７を併用して長尺シース１内を減圧しながら行う。
【００１４】
前記グラウト材が他側の定着部４に達した後に、更に充填ポンプでグラウト材に圧力を掛けて、充填作業を完了させる。長尺シース１は継目（ジョイント部）が無いので、継目での空気漏洩が完全に阻止され、当該長尺シース内が効率的に減圧され、グラウト材の充填がスムーズに行われるものである。
【００１５】
この長尺シース１を図３に示す斜張橋８の斜材ケーブルにおいて使用する場合には、最初に、桁側と塔側との間にメッセンジャー９を架設し、このメッセンジャー９に長尺シース１を吊持させる。そして、例えば、図の右側に示すように、ケーブルプッシングマシーン１０によって、ロール巻きのケーブル２をドラム１０ａから引き出して、一旦、塔の上に押し上げ、そこから長尺シース１に挿通させて下方に通す。その後、ケーブル２を上側の定着部１２において切断して、順次、下の位置において繰り返していく。
【００１６】
又は、パイロットワイヤを前記長尺シース１に、上から下へと挿通させて、その端部をケーブル端部に繋着させ、このパイロットワイヤを引き上げることで、巻き癖矯正機１３から引き出したケーブル２を、下から上へと長尺シース１に挿通させる。当該ケーブル２を定着部１１，１２間に架設した後、緊張材で定着させる。これを繰り返す。
【００１７】
前記長尺シース１を前記定着部１１，１２に固定した後、充填ポンプによりグラウト材を長尺シース１とケーブル２との間の空隙に充填する。これを繰り返して、斜張橋８の斜材ケーブルを架設するものである。
【図面の簡単な説明】
【００１８】
【図１】本発明に係る長尺シース１をロール巻きした荷姿の斜視図である。
【図２】同本発明の長尺シース１を橋梁等に使用した場合のグラウト注入工法を説明する説明図である。
【図３】同本発明の長尺シース１を斜張橋に使用した場合のグラウト注入工法を説明する説明図である。
【符号の説明】
【００１９】
１          長尺シース、
２          ケーブル、
３          定着部、
４          定着部、
５          コンクリート構造物、
６          グラウト注入側装置、
７          真空ポンプ、
８          斜張橋、
９          メッセンジャー、
１０        ケーブルプッシングマシーン、
１１，１２  斜張橋における定着部、
１３        巻き癖矯正機。
【図１】
2006219862.tif 000003
【図２】
2006219862.tif 000004
【図３】
2006219862.tif 000005